(57)【要約】【課題】発光体の残光特性に起因する画質劣化、および発光体の発光の立ち上がり特性に起因する画質劣化を十分に抑制することができる画像信号処理装置およびそれを備えた表示装置を提供する。【解決手段】輝度抑制係数算出部２ａは、与えられた画像データＶＤＲ（次フレームの画像データ）と画像データＶａ（現フレームの画像データ）との輝度レベルに基づいて、記憶部２０ａに記憶されているテーブルから輝度抑制係数を抽出または算出し、抽出または算出した輝度抑制係数を合成回路４ａに与える。ＬＰＦ３ａは、与えられた画像データＶａの低周波成分のみを通過させることにより画像データＶａを帯域制限し、帯域制限された画像データＶｌｐｆａを合成回路４ａに与える。合成回路４ａは、与えられた輝度抑制係数に基づいて、画像データＶａおよび画像データＶｌｐｆａを所定の算出式を用いて合成する。【選択図】図３
2008152061.tif 000002
【特許請求の範囲】
【請求項１】
現フレームの画像信号および次フレームの画像信号を出力する画像信号出力部と、
前記画像信号出力部により出力された次フレームの画像信号の輝度レベルが現フレームの画像信号の輝度レベルよりも低下する場合に、低下部分において現フレームの画像信号の輝度レベルを低減させることにより現フレームの画像信号を補正する画像信号補正部とを備えたことを特徴とする画像信号処理装置。
【請求項２】
画像信号補正部は、前記画像信号出力部により出力された次フレームの画像信号の輝度レベルが現フレームの画像信号の輝度レベルよりも低下する場合に、現フレームから次フレームへの画像信号の輝度レベルの変動量に基づいて次フレームの画像信号における輝度レベルの低下部分に対応する現フレームの画像信号の部分の輝度レベルを低減させることを特徴とする請求項１記載の画像信号処理装置。
【請求項３】
画像信号補正部は、前記画像信号出力部により出力された次フレームの画像信号の輝度レベルが現フレームの画像信号の輝度レベルよりも低下する場合に、現フレームから次フレームへの画像信号の輝度レベルの変動量に基づく係数を生成し、係数に基づいて現フレームの画像信号の輝度レベルを低減させることを特徴とする請求項２記載の画像信号処理装置。
【請求項４】
前記画像信号出力部により出力された現フレームの画像信号および次フレームの画像信号に基づいて画像部分の移動量を算出する移動量算出部をさらに備え、
前記画像信号補正部は、前記移動量算出部により算出された移動量に基づいて現フレームの画像信号の輝度レベルの低減量を変化させることを特徴とする請求項１〜３のいずれかに記載の画像信号処理装置。
【請求項５】
前記画像信号出力部により出力された現フレームの画像信号に基づいて画像の平均輝度レベルを算出する平均輝度レベル算出部をさらに備え、
前記画像信号補正部は、前記平均輝度レベル算出部により算出された平均輝度レベルに基づいて現フレームの画像信号の輝度レベルの低減量を変化させることを特徴とする請求項１〜４のいずれかに記載の画像信号処理装置。
【請求項６】
現フレームの画像信号および次フレームの画像信号を出力する画像信号出力部と、
前記画像信号出力部により出力された次フレームの画像信号の輝度レベルが現フレームの画像信号の輝度レベルよりも上昇する場合に、上昇部分において現フレームの画像信号の輝度レベルを増加させることにより現フレームの画像信号を補正する画像信号補正部とを備えたことを特徴とする画像信号処理装置。
【請求項７】
画像信号補正部は、前記画像信号出力部により出力された次フレームの画像信号の輝度レベルが現フレームの画像信号の輝度レベルよりも上昇する場合に、現フレームから次フレームへの画像信号の輝度レベルの変動量に基づいて次フレームの画像信号における輝度レベルの上昇部分に対応する現フレームの画像信号の部分の輝度レベルを増加させることを特徴とする請求項６記載の画像信号処理装置。
【請求項８】
画像信号補正部は、前記画像信号出力部により出力された次フレームの画像信号の輝度レベルが現フレームの画像信号の輝度レベルよりも上昇する場合に、現フレームから次フレームへの画像信号の輝度レベルの変動量に基づく係数を生成し、係数に基づいて現フレームの画像信号の輝度レベルを増加させることを特徴とする請求項７記載の画像信号処理装置。
【請求項９】
前記画像信号出力部により出力された現フレームの画像信号および次フレームの画像信号に基づいて画像部分の移動量を算出する移動量算出部をさらに備え、
前記画像信号補正部は、前記移動量算出部により算出された移動量に基づいて現フレームの画像信号の輝度レベルの増加量を変化させることを特徴とする請求項６〜８のいずれかに記載の画像信号処理装置。
【請求項１０】
前記画像信号出力部により出力された現フレームの画像信号に基づいて画像の平均輝度レベルを算出する平均輝度レベル算出部をさらに備え、
前記画像信号補正部は、前記平均輝度レベル算出部により算出された平均輝度レベルに基づいて現フレームの画像信号の輝度レベルの増加量を変化させることを特徴とする請求項６〜９のいずれかに記載の画像信号処理装置。
【請求項１１】
前記画像信号補正部は、前記画像信号出力部により出力された次フレームの画像信号の輝度レベルが現フレームの画像信号の輝度レベルよりも低下する場合に、低下部分において現フレームの画像信号の輝度レベルを低減させることにより現フレームの画像信号を補正することを特徴とする請求項６〜１０のいずれかに記載の画像信号処理装置。
【請求項１２】
複数色に対応する画像信号をそれぞれ受ける請求項１〜５のいずれかに記載の複数の画像信号処理装置と、
前記複数色の発光体を有し、前記複数の画像信号処理装置により補正された画像信号に基づいて画像を表示する表示部とを備え、
前記複数の画像信号処理装置の前記画像信号補正部は、それぞれ対応する色の発光体の残光特性に基づいて現フレームの画像信号の輝度レベルを低減させることを特徴とする表示装置。
【請求項１３】
複数色に対応する画像信号をそれぞれ受ける請求項６〜１１のいずれかに記載の複数の画像信号処理装置と、
前記複数色の発光体を有し、前記複数の画像信号処理装置により補正された画像信号に基づいて画像を表示する表示部とを備え、
前記複数の画像信号処理装置の前記画像信号補正部は、それぞれ対応する色の発光体の発光の立ち上がり特性に基づいて現フレームの画像信号の輝度レベルを増加させることを特徴とする表示装置。
【発明の詳細な説明】
【技術分野】
【０００１】
本発明は、画像信号を処理する画像信号処理装置およびこれを備えた表示装置に関する。
【背景技術】
【０００２】
自発光画像表示器としてのプラズマディスプレイパネルを用いたプラズマディスプレイ装置は、薄型化および大画面化が可能であるという利点を有する。
【０００３】
上記のプラズマディスプレイ装置においては、画素を構成する放電セルの放電の際の発光を利用することにより画像を表示している。また、プラズマディスプレイパネルは二値的に発光を行うため、それぞれ重み付けられた複数の二値画像を時間的に重ねることにより中間調を表示するサブフィールド法が用いられる。
【０００４】
上記サブフィールド法では、１フィールドが複数のサブフィールドに時間分割されており、各サブフィールドはそれぞれ重み付けがされている。各サブフィールドの重み量は、各サブフィールドの発光量に対応する。例えば、発光回数が重み量として用いられ、各サブフィールドの重み量の合計量が映像信号の輝度すなわち階調レベルに対応する。
【０００５】
このように、大画面化が可能であるとして注目されているプラズマディスプレイ装置においては、一般的な発光材料として紫外線により励起し発光する赤色（Ｒ）、緑色（Ｇ）および青色（Ｂ）の３色の蛍光体が用いられる。
【０００６】
現状では、所望の発光強度または色純度等の諸条件を満たす蛍光体材料は限られており、上記条件を満たす赤色、緑色および青色を発光する蛍光体材料の組み合わせは得られていない。
【０００７】
また、蛍光体の残光特性は発光色によって顕著に異なり、特に、緑色の蛍光体の残光特性と青色の蛍光体の残光特性との差が大きい。以下、上記蛍光体の残光特性について説明する。
【０００８】
残光時間を１／１０残光時間により定義した場合、青色を発光する代表的な蛍光体であるＢａＭｇＡｌ１０Ｏ１７：Ｅｕの残光時間が数μｓであるのに対し、緑色を発光する代表的な蛍光体であるＺｎ２ＳｉＯ４：Ｍｎの残光時間は上記の残光時間よりも長く、フィールド期間長（約１６．７ｍｓ）に近い値を有する。
【０００９】
このような残光時間の差は、動画表示において画像部分の輝度レベルが低下する場合に原画像に存在しない色を出現させてしまう。例えば、明点（輝度レベルが高い画像部分）が移動する画像において、明点の後端に緑色の部分（尾引き）が生じたり、暗転場面において、緑色の像が残ったりする。特に、人物画像の肌の色の部分において、比視覚感度の大きい緑色の尾引きが発生すると、表示品質が著しく劣化する。
【００１０】
そこで、このような残光特性に伴う表示品質の劣化を抑制する方法が提案されている（例えば、特許文献１参照）。特許文献１に記載の画像信号処理装置においては、残光時間の短い発光色に対応する画像信号に、残光時間の長い発光色の残光に相当する擬似残光信号を付加する。これにより、残光色が原画像と同色になり、人が感じる違和感が低減される。
【特許文献１】特開２００４−１２６４５８号公報
【発明の開示】
【発明が解決しようとする課題】
【００１１】
しかしながら、上記従来の画像信号処理装置では、残光時間の短い発光色に対応する画像信号に残光時間の長い発光色の残光に相当する擬似残光信号を付加することにより残光色を原画像と同色にするものであり、残光時間の長い発光色の残光特性を改善するものではない。そのため、蛍光体のような発光体の残光特性に起因する画質劣化を十分に抑制することができない。
【００１２】
一方、蛍光体の発光の立ち上がり特性も発光色によって顕著に異なる。図１７は蛍光体の発光の立ち上がり特性を示す図である。図１７に示すように、青色の蛍光体については、発光の立ち上がりの遅延時間が最も短い。また、緑色の蛍光体については、発光の立ち上がりの遅延時間が最も長い。
【００１３】
このような発光の立ち上がりの遅延時間の差は、動画表示において画像部分の輝度レベルが上昇する場合に原画像に存在しない色を出現させてしまう。例えば、図１８に示すように、明点が移動する画像において、明点の前端に色付きが発生する。その結果、表示品質が著しく劣化する。上記従来の画像信号処理装置では、蛍光体のような発光体の発光の立ち上がり特性に起因する画質劣化を抑制することはできない。
【００１４】
本発明の目的は、発光体の残光特性に起因する画質劣化を十分に抑制することができる画像信号処理装置およびそれを備えた表示装置を提供することである。
【００１５】
本発明の他の目的は、発光体の発光の立ち上がり特性に起因する画質劣化を十分に抑制することができる画像信号処理装置およびそれを備えた表示装置を提供することである。
【課題を解決するための手段】
【００１６】
（１）第１の発明に係る画像信号処理装置は、現フレームの画像信号および次フレームの画像信号を出力する画像信号出力部と、画像信号出力部により出力された次フレームの画像信号の輝度レベルが現フレームの画像信号の輝度レベルよりも低下する場合に、低下部分において現フレームの画像信号の輝度レベルを低減させることにより現フレームの画像信号を補正する画像信号補正部とを備えたものである。
【００１７】
第１の発明に係る画像信号処理装置においては、現フレームの画像信号および次フレームの画像信号は画像信号出力部により出力される。画像信号出力部により出力された次フレームの画像信号の輝度レベルが現フレームの画像信号の輝度レベルよりも低下する場合に、低下部分において現フレームの画像信号の輝度レベルを低減させることにより現フレームの画像信号が画像信号補正部により補正される。
【００１８】
このような構成により、表示装置において見かけ上の残光が現れる輝度レベル（以下、残光開始輝度レベルと呼ぶ）が低減される。その結果、高輝度から低輝度に変化する画像部分に生じる残光領域が低減され、残光特性に起因する画質劣化が十分に抑制される。
【００１９】
（２）画像信号補正部は、画像信号出力部により出力された次フレームの画像信号の輝度レベルが現フレームの画像信号の輝度レベルよりも低下する場合に、現フレームから次フレームへの画像信号の輝度レベルの変動量に基づいて次フレームの画像信号における輝度レベルの低下部分に対応する現フレームの画像信号の部分の輝度レベルを低減させてもよい。
【００２０】
この場合、上記変動量に基づいて現フレームの画像信号の部分の輝度レベルの低減の度合いを調整することが可能となる。
【００２１】
（３）画像信号補正部は、画像信号出力部により出力された次フレームの画像信号の輝度レベルが現フレームの画像信号の輝度レベルよりも低下する場合に、現フレームから次フレームへの画像信号の輝度レベルの変動量に基づく係数を生成し、係数に基づいて現フレームの画像信号の輝度レベルを低減させてもよい。
【００２２】
この場合、画像信号補正部により生成された上記係数に基づいて現フレームの画像信号の部分の輝度レベルの低減の度合いを調整することが可能となる。
【００２３】
（４）画像信号処理装置は、画像信号出力部により出力された現フレームの画像信号および次フレームの画像信号に基づいて画像部分の移動量を算出する移動量算出部をさらに備え、画像信号補正部は、移動量算出部により算出された移動量に基づいて現フレームの画像信号の輝度レベルの低減量を変化させてもよい。
【００２４】
この場合、画像信号出力部により出力された現フレームの画像信号および次フレームの画像信号に基づいて画像部分の移動量が移動量算出部により算出される。そして、移動量算出部により算出された上記移動量に基づいて現フレームの画像信号の輝度レベルの低減量が画像信号補正部により変化される。
【００２５】
このように、画像部分の移動量に応じて高輝度から低輝度に変化する画像部分に生じる残光領域が低減される。それにより、残光特性に起因する画質劣化が十分に抑制される。
【００２６】
（５）画像信号処理装置は、画像信号出力部により出力された現フレームの画像信号に基づいて画像の平均輝度レベルを算出する平均輝度レベル算出部をさらに備え、画像信号補正部は、平均輝度レベル算出部により算出された平均輝度レベルに基づいて現フレームの画像信号の輝度レベルの低減量を変化させてもよい。
【００２７】
この場合、画像信号出力部により出力された現フレームの画像信号に基づいて画像の平均輝度レベルが平均輝度レベル算出部により算出される。そして、平均輝度レベル算出部により算出された上記平均輝度レベルに基づいて現フレームの画像信号の輝度レベルの低減量が画像信号補正部により変化される。
【００２８】
このように、現フレームの画像信号の平均輝度レベルに応じて高輝度から低輝度に変化する画像部分に生じる残光領域が低減される。それにより、残光特性に起因する画質劣化が十分に抑制される。
【００２９】
（６）第２の発明に係る画像信号処理装置は、現フレームの画像信号および次フレームの画像信号を出力する画像信号出力部と、画像信号出力部により出力された次フレームの画像信号の輝度レベルが現フレームの画像信号の輝度レベルよりも上昇する場合に、上昇部分において現フレームの画像信号の輝度レベルを増加させることにより現フレームの画像信号を補正する画像信号補正部とを備えたものである。
【００３０】
第２の発明に係る画像信号処理装置においては、現フレームの画像信号および次フレームの画像信号は画像信号出力部により出力される。画像信号出力部により出力された次フレームの画像信号の輝度レベルが現フレームの画像信号の輝度レベルよりも上昇する場合に、上昇部分において現フレームの画像信号の輝度レベルを増加させることにより現フレームの画像信号が画像信号補正部により補正される。
【００３１】
このような構成により、現フレームの画像信号において輝度レベルの立ち上がりの遅延時間が短縮される。それにより、輝度レベルの立ち上がり遅れが改善される。その結果、低輝度から高輝度に変化する画像部分に生じる色付きが低減され、発光の立ち上がり特性に起因する画質劣化が十分に抑制される。
【００３２】
（７）画像信号補正部は、画像信号出力部により出力された次フレームの画像信号の輝度レベルが現フレームの画像信号の輝度レベルよりも上昇する場合に、現フレームから次フレームへの画像信号の輝度レベルの変動量に基づいて次フレームの画像信号における輝度レベルの上昇部分に対応する現フレームの画像信号の部分の輝度レベルを増加させてもよい。
【００３３】
この場合、上記変動量に基づいて現フレームの画像信号の部分の輝度レベルの増加の度合いを調整することが可能となる。
【００３４】
（８）画像信号補正部は、画像信号出力部により出力された次フレームの画像信号の輝度レベルが現フレームの画像信号の輝度レベルよりも上昇する場合に、現フレームから次フレームへの画像信号の輝度レベルの変動量に基づく係数を生成し、係数に基づいて現フレームの画像信号の輝度レベルを増加させてもよい。
【００３５】
この場合、画像信号補正部により生成された上記係数に基づいて現フレームの画像信号の部分の輝度レベルの増加の度合いを調整することが可能となる。
【００３６】
（９）画像信号処理装置は、画像信号出力部により出力された現フレームの画像信号および次フレームの画像信号に基づいて画像部分の移動量を算出する移動量算出部をさらに備え、画像信号補正部は、移動量算出部により算出された移動量に基づいて現フレームの画像信号の輝度レベルの増加量を変化させてもよい。
【００３７】
この場合、画像信号出力部により出力された現フレームの画像信号および次フレームの画像信号に基づいて画像部分の移動量が移動量算出部により算出される。そして、移動量算出部により算出された上記移動量に基づいて現フレームの画像信号の輝度レベルの増加量が画像信号補正部により変化される。
【００３８】
このような構成により、画像部分の移動量に応じて低輝度から高輝度に変化する画像部分に生じる色付きが低減される。それにより、発光の立ち上がり特性に起因する画質劣化が十分に抑制される。
【００３９】
（１０）画像信号処理装置は、画像信号出力部により出力された現フレームの画像信号に基づいて画像の平均輝度レベルを算出する平均輝度レベル算出部をさらに備え、画像信号補正部は、平均輝度レベル算出部により算出された平均輝度レベルに基づいて現フレームの画像信号の輝度レベルの増加量を変化させてもよい。
【００４０】
この場合、画像信号出力部により出力された現フレームの画像信号に基づいて画像の平均輝度レベルが平均輝度レベル算出部により算出される。そして、平均輝度レベル算出部により算出された上記平均輝度レベルに基づいて現フレームの画像信号の輝度レベルの増加量が画像信号補正部により変化される。
【００４１】
このように、現フレームの画像信号の平均輝度レベルに応じて低輝度から高輝度に変化する画像部分に生じる色付きが低減される。それにより、発光の立ち上がり特性に起因する画質劣化が十分に抑制される。
【００４２】
（１１）画像信号補正部は、画像信号出力部により出力された次フレームの画像信号の輝度レベルが現フレームの画像信号の輝度レベルよりも低下する場合に、低下部分において現フレームの画像信号の輝度レベルを低減させることにより現フレームの画像信号を補正してもよい。
【００４３】
この場合、残光開始輝度レベルが低減される。その結果、高輝度から低輝度に変化する画像部分に生じる残光領域が低減され、残光特性に起因する画質劣化が十分に抑制される。
【００４４】
このように、発光の立ち上がり特性に起因する画質劣化および残光特性に起因する画質劣化が共に十分に抑制される。
【００４５】
（１２）第３の発明に係る表示装置は、複数色に対応する画像信号をそれぞれ受ける第１の発明に係る複数の画像信号処理装置と、複数色の発光体を有し、複数の画像信号処理装置により補正された画像信号に基づいて画像を表示する表示部とを備え、複数の画像信号処理装置の画像信号補正部は、それぞれ対応する色の発光体の残光特性に基づいて現フレームの画像信号の輝度レベルを低減させるものである。
【００４６】
第３の発明に係る表示装置においては、複数色に対応する画像信号が複数の画像信号処理装置によりそれぞれ受けられる。また、複数の画像信号処理装置により補正された画像信号に基づいて画像が表示部により表示される。
【００４７】
このような構成において、それぞれ対応する色の発光体の残光特性に基づいて現フレームの画像信号の輝度レベルが各画像信号補正部により低減される。これにより、表示部において各色について残光開始輝度レベルが低減される。その結果、高輝度から低輝度に変化する画像部分に生じる残光領域が低減され、各発光体の残光特性に起因する画質劣化が十分に抑制される。
【００４８】
（１３）第４の発明に係る表示装置は、複数色に対応する画像信号をそれぞれ受ける第２の発明に係る複数の画像信号処理装置と、複数色の発光体を有し、複数の画像信号処理装置により補正された画像信号に基づいて画像を表示する表示部とを備え、複数の画像信号処理装置の画像信号補正部は、それぞれ対応する色の発光体の発光の立ち上がり特性に基づいて現フレームの画像信号の輝度レベルを増加させるものである。
【００４９】
第４の発明に係る表示装置においては、複数色に対応する画像信号が複数の画像信号処理装置によりそれぞれ受けられる。また、複数の画像信号処理装置により補正された画像信号に基づいて画像が表示部により表示される。
【００５０】
このような構成において、それぞれ対応する色の発光体の発光の立ち上がり特性に基づいて現フレームの画像信号の輝度レベルが各画像信号補正部により増加される。これにより、各色について現フレームの画像信号において輝度レベルの立ち上がりの遅延時間が短縮される。それにより、各色の輝度レベルの立ち上がり遅れが改善される。その結果、低輝度から高輝度に変化する画像部分に生じる色付きが低減され、各発光体の発光の立ち上がり特性に起因する画質劣化が十分に抑制される。
【発明の効果】
【００５１】
本発明によれば、発光体の残光特性に起因する画質劣化を十分に抑制することができる。
【００５２】
また、本発明によれば、発光体の発光の立ち上がり特性に起因する画質劣化を十分に抑制することができる。
【発明を実施するための最良の形態】
【００５３】
以下の実施の形態では、本発明を表示装置の一例としてＰＤＰ（プラズマディスプレイパネル）を有するプラズマディスプレイ装置に適用した場合について説明する。なお、本発明は、電界放出ディスプレイ（ＦＥＤ：Field Emission Display）等の他の表示装置にも適用することができる。
【００５４】
（１）第１の実施の形態
（１―１）プラズマディスプレイ装置の全体構成
図１は、本発明の第１の実施の形態に係るプラズマディスプレイ装置の構成を示すブロック図である。
【００５５】
図１に示すように、プラズマディスプレイ装置は、Ａ／Ｄコンバータ（アナログ・デジタル変換器）２００、走査数変換部３００、輝度レベル補正部３５０、サブフィールド変換部４００、放電制御タイミング発生回路５００、プラズマディスプレイパネル（ＰＤＰ）６００、データドライバ７００、スキャンドライバ８００およびサステインドライバ９００を含む。
【００５６】
Ａ／Ｄコンバータ２００には映像信号ＶＳが入力される。また、放電制御タイミング発生回路５００、Ａ／Ｄコンバータ２００、走査数変換部３００、輝度レベル補正部３５０、およびサブフィールド変換部４００には水平同期信号Ｈおよび垂直同期信号Ｖが与えられる。
【００５７】
Ａ／Ｄコンバータ２００は、映像信号ＶＳをデジタルの画像データＶＤ０に変換し、その画像データＶＤ０を走査数変換部３００に与える。
【００５８】
走査数変換部３００は、画像データＶＤ０をＰＤＰ６００の画素数に応じた各ラインごとの画像データＶＤに変換し、各ラインごとの画像データＶＤを輝度レベル補正部３５０に与える。各ラインごとの画像データＶＤは、各ラインの複数の画素の輝度レベルを表す複数の画素データからなる。
【００５９】
輝度レベル補正部３５０は、走査数変換部３００から与えられる画像データＶＤに後述する所定の処理を施し、得られた画像データＶＥをサブフィールド変換部４００へ出力する。
【００６０】
サブフィールド変換部４００は、画像データＶＥの各画素データを複数のサブフィールドに対応するシリアルデータＳＤに変換し、シリアルデータＳＤをデータドライバ７００に与える。
【００６１】
放電制御タイミング発生回路５００は、水平同期信号Ｈおよび垂直同期信号Ｖを基準として放電制御タイミング信号ＳＣ，ＳＵを発生する。放電制御タイミング発生回路５００は、放電制御タイミング信号ＳＣをスキャンドライバ８００に与え、放電制御タイミング信号ＳＵをサステインドライバ９００に与える。
【００６２】
ＰＤＰ６００は、複数のデータ電極１１ｃ、複数の走査電極（スキャン電極）１１ａおよび複数の維持電極（サステイン電極）１１ｂを含む。複数のデータ電極１１ｃは、画面の垂直方向に配列され、複数の走査電極１１ａおよび複数の維持電極１１ｂは画面の水平方向に配列されている。複数の維持電極１１ｂは共通に接続されている。
【００６３】
データ電極１１ｃ、走査電極１１ａおよび維持電極１１ｂの各交点に放電セルが形成される。ＰＤＰ６００は、赤色の蛍光体を有する複数の放電セル、緑色の蛍光体を有する複数の放電セルおよび青色の蛍光体を有する複数の放電セルを含む。赤色の蛍光体を有する１つの放電セル、緑色の蛍光体を有する１つの放電セルおよび青色の蛍光体を有する１つの放電セルがＰＤＰ６００の１つの画素を構成する。
【００６４】
データドライバ７００は、サブフィールド変換部４００から与えられるシリアルデータＳＤをパラレルデータに変換し、そのパラレルデータに基づいて書き込みパルスを複数のデータ電極１１ｃに選択的に与える。
【００６５】
スキャンドライバ８００は、放電制御タイミング発生回路５００から与えられる放電制御タイミング信号ＳＣに基づいて各走査電極１１ａを駆動する。サステインドライバ９００は、放電制御タイミング発生回路５００から与えられる放電制御タイミング信号ＳＵに基づいて維持電極１１ｂを駆動する。
【００６６】
（１−２）サブフィールドの説明
図１に示すプラズマディスプレイ装置では、階調表示駆動方式としてサブフィールド法が用いられている。
【００６７】
図２は図１に示すプラズマディスプレイ装置に適用されるサブフィールド法を説明するための図である。なお、図２では、駆動パルスの立ち下がり時に放電を行う負極性のパルスの例を示しているが、立ち上がり時に放電を行う正極性のパルスの場合でも基本的な動作は以下と同様である。
【００６８】
サブフィールド法では、１フィールドを複数のサブフィールドに時間的に分割する。例えば、１フィールドを５つのサブフィールドＳＦ１〜ＳＦ５に分割する。また、各サブフィールドＳＦ１〜ＳＦ５は、初期化期間Ｒ１〜Ｒ５、書き込み期間ＡＤ１〜ＡＤ５、維持期間ＳＵＳ１〜ＳＵＳ５および消去期間ＲＳ１〜ＲＳ５に分離される。サブフィールドＳＦ１〜ＳＦ５には、それぞれ輝度の重み量が与えられる。
【００６９】
初期化期間Ｒ１〜Ｒ５においては、各サブフィールドの初期化放電が行われ、書き込み期間ＡＤ１〜ＡＤ５においては、点灯されるべき放電セルを選択するための書き込み放電が行われ、維持期間ＳＵＳ１〜ＳＵＳ５においては、表示のための維持放電が行われる。
【００７０】
初期化期間Ｒ１〜Ｒ５においては、維持電極１１ｂに初期化パルスが加えられ、走査電極１１ａにもそれぞれ初期化パルスが加えられる。これにより、初期化放電が行われる。
【００７１】
書き込み期間ＡＤ１〜ＡＤ５においては、走査電極１１ａが順次走査され、データ電極１１ｃから書き込みパルスを受けた放電セルにおいて書き込み放電が行われる。それにより、点灯すべき放電セルが選択される。
【００７２】
維持期間ＳＵＳ１〜ＳＵＳ５においては、各サブフィールドＳＦ１〜ＳＦ５に重み量に応じた数の維持パルスが維持電極１１ｂおよび走査電極１１ａに印加される。例えば、サブフィールドＳＦ１では、維持電極１１ｂに維持パルスが１回印加され、走査電極１１ａに維持パルスが１回印加され、書き込み期間Ｐ２において選択された放電セルが２回維持放電を行う。また、サブフィールドＳＦ２では、維持電極１１ｂに維持パルスが２回印加され、走査電極１１ａに維持パルスが２回印加され、書き込み期間Ｐ２において選択された放電セルが４回維持放電を行う。
【００７３】
上記のように、各サブフィールドＳＦ１〜ＳＦ５では、維持電極１１ｂおよび走査電極１１ａの各々に、例えば１回、２回、４回、８回および１６回ずつ維持パルスが印加される。それにより、維持パルス数に応じた輝度で放電セルが発光する。
【００７４】
（１−３）輝度レベル補正部の構成およびその動作
次に、本実施の形態における輝度レベル補正部３５０の構成について図面を参照しながら説明する。
【００７５】
図３は、本発明の第１の実施の形態における輝度レベル補正部３５０の構成を示すブロック図である。図３に示すように、画像データＶＤは、赤色原色信号である画像データＶＤＲ、緑色原色信号である画像データＶＤＧ、および青色原色信号である画像データＶＤＢを含む。
【００７６】
輝度レベル補正部３５０は、赤色原色信号、緑色原色信号および青色原色信号にそれぞれ対応して設けられた輝度レベル抑制部５ａ、輝度レベル抑制部５ｂおよび輝度レベル抑制部５ｃを含む。
【００７７】
輝度レベル抑制部５ａは、１フレーム遅延回路１ａ、輝度抑制係数算出部２ａ、ＬＰＦ（ローパスフィルタ）３ａ、合成回路４ａおよび記憶部２０ａを含む。また、輝度レベル抑制部５ｂは、１フレーム遅延回路１ｂ、輝度抑制係数算出部２ｂ、ＬＰＦ３ｂ、合成回路４ｂおよび記憶部２０ｂを含む。さらに、輝度レベル抑制部５ｃは、１フレーム遅延回路１ｃ、輝度抑制係数算出部２ｃ、ＬＰＦ３ｃ、合成回路４ｃおよび記憶部２０ｃを含む。
【００７８】
本実施の形態では、輝度抑制係数算出部２ａ，２ｂ，２ｃは、例えばＣＰＵ（中央演算処理装置）等のハードウエアおよびプログラム等のソフトウエアにより実現される。合成回路４ａ，４ｂ，４ｃは、例えばＣＰＵ等のハードウエアおよびプログラム等のソフトウエアにより実現されてもよく、あるいは論理回路等のハードウエアにより実現されてもよい。記憶部２０ａ，２０ｂ，２０ｃは、例えばＲＡＭ（ランダムアクセスメモリ）等の半導体メモリにより構成される。
【００７９】
画像データＶＤＲは、輝度レベル抑制部５ａの１フレーム遅延回路１ａおよび輝度抑制係数算出部２ａに与えられる。
【００８０】
１フレーム遅延回路１ａは、与えられた画像データＶＤＲを１フレーム遅延させ、遅延された画像データＶａを、輝度抑制係数算出部２ａ、ＬＰＦ３ａおよび合成回路４ａに与える。画像データＶＤＲが次フレームの画像データに相当し、画像データＶａが現フレームの画像データに相当する。
【００８１】
輝度抑制係数算出部２ａは、与えられた画像データＶＤＲ（次フレームの画像データ）と画像データＶａ（現フレームの画像データ）との輝度レベルに基づいて、記憶部２０ａに記憶されている後述のテーブルから輝度抑制係数ｋａを抽出または算出し、抽出または算出した輝度抑制係数ｋａを合成回路４ａに与える。
【００８２】
ＬＰＦ３ａは、与えられた画像データＶａの低周波成分のみを通過させることにより画像データＶａを帯域制限し、帯域制限された画像データＶｌｐｆａを合成回路４ａに与える。
【００８３】
合成回路４ａは、与えられた輝度抑制係数ｋａに基づいて、画像データＶａおよび画像データＶｌｐｆａを後述の算出式を用いて合成する。そして、合成回路４ａは、合成により得られた画像データＶＥＲをサブフィールド変換部４００（図１）に与える。
【００８４】
同様に、画像データＶＤＧ（次フレームの画像データ）は、輝度レベル抑制部５ｂの１フレーム遅延回路１ｂおよび輝度抑制係数算出部２ｂに与えられる。１フレーム遅延回路１ｂは、画像データＶｂ（現フレームの画像データ）を輝度抑制係数算出部２ｂ、ＬＰＦ３ｂおよび合成回路４ｂに与える。輝度抑制係数算出部２ｂは、輝度抑制係数ｋｂを合成回路４ｂに与える。ＬＰＦ３ｂは、帯域制限された画像データＶｌｐｆｂを合成回路４ｂに与える。合成回路４ｂは、与えられた輝度抑制係数ｋｂに基づいて、画像データＶｂおよび画像データＶｌｐｆｂを合成し、合成により得られた画像データＶＥＧをサブフィールド変換部４００に与える。
【００８５】
また、画像データＶＤＢ（次フレームの画像データ）は、輝度レベル抑制部５ｃの１フレーム遅延回路１ｃおよび輝度抑制係数算出部２ｃに与えられる。１フレーム遅延回路１ｃは、画像データＶｃ（現フレームの画像データ）を輝度抑制係数算出部２ｃ、ＬＰＦ３ｃおよび合成回路４ｃに与える。輝度抑制係数算出部２ｃは、輝度抑制係数ｋｃを合成回路４ｃに与える。ＬＰＦ３ｃは、帯域制限された画像データＶｌｐｆｃを合成回路４ｃに与える。合成回路４ｃは、与えられた輝度抑制係数ｋｃに基づいて、画像データＶｃおよび画像データＶｌｐｆｃを合成し、合成により得られた画像データＶＥＢをサブフィールド変換部４００に与える。
【００８６】
なお、画像データＶＥＲ，ＶＥＧ，ＶＥＢは、上述した画像データＶＥ（図１）に含まれる。
【００８７】
次に、輝度レベル抑制部５ａ，５ｂ，５ｃの具体的な動作について、輝度レベル抑制部５ａを例に挙げて説明する。
【００８８】
図４は、輝度レベル抑制部５ａに含まれる構成部の出力を示す波形図である。図４（ａ）〜（ｈ）の横軸は時間を表し、縦軸は各データまたは各係数の値を表す。
【００８９】
図４（ａ），（ｂ）の波形はそれぞれ現フレームの画像データＶａおよび次フレームの画像データＶＤＲを示す。
【００９０】
図４（ａ），（ｂ）の例では、次フレームの画像データＶＤＲは現フレームの画像データＶａよりも先にハイレベル（高い輝度レベル）に立ち上がる。そして、画像データＶＤＲは画像データＶａよりも先にローレベル（低い輝度レベル）に立ち下がる。それにより、期間Ｔ１では、次フレームの画像データＶＤＲの輝度レベルが現フレームの画像データＶａの輝度レベルよりも低下する。これらの画像データＶａおよび画像データＶＤＲにより画面上では高い輝度レベルを有する画像部分が右から左へ移動する。
【００９１】
ここで、上述したように、輝度抑制係数算出部２ａは、画像データＶＤＲの輝度レベルと画像データＶａの輝度レベルとに基づいて輝度抑制係数ｋａを抽出または算出する。以下、輝度抑制係数ｋａが格納されたテーブルについて説明する。
【００９２】
図５は、輝度抑制係数ｋａを格納するテーブルを示す説明図である。
【００９３】
図５のテーブルの輝度抑制係数ｋａは、赤色原色信号である画像データＶＤＲについて用いられるものであり、記憶部２０ａ（図３）に記憶されている。図５のテーブルの各行は現フレームの画像データＶａの輝度レベルに対応する輝度抑制係数ｋａの値を表し、各列は次フレームの画像データＶＤＲの輝度レベルに対応する輝度抑制係数ｋａの値を表す。
【００９４】
図５に示すように、輝度抑制係数ｋａは、現フレームの画像データＶａおよび次フレームの画像データＶＤＲの各輝度レベル（％）に対応して設定されている。なお、白色の輝度レベルを１００％とし、黒色の輝度レベルを０％とする。
【００９５】
現フレームから次フレームへの移行時に輝度レベルが低下する場合に、その輝度レベルの差分が大きいほど、輝度抑制係数ｋａは高い値となるように設定されている。また、現フレームから次フレームへの移行時に輝度レベルが上昇する場合および輝度レベルが変化しない場合には、輝度抑制係数ｋａは０となるように設定されている。すなわち、次フレームの画像データＶＤＲの輝度レベルが現フレームの画像データＶａの輝度レベル以上の場合における輝度抑制係数ｋａは０に設定されている。
【００９６】
輝度抑制係数算出部２ａは、図５のテーブルから現フレームの画像データＶａの輝度レベルおよび次フレームの画像データＶＤＲの輝度レベルに対応する輝度抑制係数ｋａを抽出する。例えば、現フレームの画像データＶａの輝度レベルが６０％であり、次フレームの画像データＶＤＲの輝度レベルが２０％である場合には、輝度抑制係数算出部２ａは輝度抑制係数ｋａとして０．２を抽出する。
【００９７】
図５のテーブルに現フレームの画像データＶａの輝度レベルまたは次フレームの画像データＶＤＲの輝度レベルに対応する輝度レベルが存在しない場合には、輝度抑制係数算出部２ａは、テーブルに存在する複数の輝度抑制係数ｋａの値を用いた補間演算により現フレームの画像データＶａの輝度レベルおよび次フレームの画像データＶＤＲの輝度レベルに対応する輝度抑制係数ｋａを算出する。
【００９８】
例えば、現フレームの画像データＶａの輝度レベルが５０％であり、次フレームの画像データＶＤＲの輝度レベルが２０％である場合には、輝度抑制係数算出部２ａは現フレームの画像データＶａの輝度レベルが４０％である場合の輝度抑制係数ｋａの値０．２と現フレームの画像データＶａの輝度レベルが６０％である場合の輝度抑制係数ｋａの値０．４とを平均することにより現フレームの画像データＶａの輝度レベルが５０％である場合の輝度抑制係数ｋａの値を０．３と算出する。
【００９９】
なお、上記テーブルは、残光特性（残光時間の長さ）に応じて画像データＶＤＲ，ＶＤＧ，ＶＤＢごとに設定される。例えば、緑色原色信号である画像データＶＤＧに対応するテーブルに格納される輝度抑制係数ｋｂの値は、図５のテーブルに格納される輝度抑制係数ｋａの値よりも大きく設定され、青色原色信号である画像データＶＤＢに対応するテーブルに格納される輝度抑制係数ｋｃの値は、図５のテーブルに格納される輝度抑制係数ｋａの値よりも小さく、またはすべて０に設定される。
【０１００】
図４（ｃ）の波形は図４（ａ），（ｂ）の現フレームの画像データＶａおよび次フレームの画像データＶＤＲに基づいて輝度抑制係数算出部２ａにより抽出または算出された輝度抑制係数ｋａを示す。
【０１０１】
図４（ａ），（ｂ）に示すように、期間Ｔ１において、次フレームの画像データＶＤＲの輝度レベルが現フレームの画像データＶａの輝度レベルよりも低下する。
【０１０２】
ここで、図５で上述したように、次フレームの画像データＶＤＲの輝度レベルが現フレームの画像データＶａの輝度レベルよりも低い場合には、輝度抑制係数ｋａが正となる。したがって、図４（ｃ）において、期間Ｔ１では輝度抑制係数ｋａは正の値を有する。また、次フレームの画像データＶＤＲの輝度レベルが現フレームの画像データＶａの輝度レベル以上の場合には、輝度抑制係数ｋａは０に設定されている。したがって、期間Ｔ１以外の期間には、輝度抑制係数ｋａは０となる。
【０１０３】
図４（ｄ）の波形は１から輝度抑制係数ｋａを減算することにより得られる値を示す。値（１−ｋａ）は期間Ｔ１では負となり、期間Ｔ１以外の期間では１となる。これについては、下記の合成回路４ａの動作とともに後述する。
【０１０４】
図４（ｅ）の波形はＬＰＦ３ａにより出力される画像データＶｌｐｆａを示す。ＬＰＦ３ａは、１フレーム遅延回路１ａから与えられた画像データＶａの低周波成分のみを通過させるように画像データＶａを帯域制限することにより上記の画像データＶｌｐｆａを出力する。
【０１０５】
それにより、帯域制限された画像データＶｌｐｆａを示す波形の立ち上がりおよび立ち下がりがそれぞれ緩やかになる。それにより、期間Ｔ１において画像データＶｌｐｆａはハイレベルの部分および当該ハイレベルから緩やかに立ち下がる部分を含む。
【０１０６】
続いて、合成回路４ａによる画像データＶａおよび画像データＶｌｐｆａの合成方法について説明する。
【０１０７】
合成回路４ａは、与えられた輝度抑制係数ｋａを用いて、画像データＶａおよび画像データＶｌｐｆａを下記の算出式に基づいて合成し、合成により得られた画像データＶＥＲをサブフィールド変換部４００（図１）に与える。
【０１０８】
ＶＥＲ＝Ｖｌｐｆａ×ｋａ＋Ｖａ×（１−ｋａ）      ・・・（１）
上式（１）において、ＶＥＲは画像データＶＥＲの値であり、Ｖｌｐｆａは画像データＶｌｐｆａの値であり、ｋａは輝度抑制係数ｋａの値である。
【０１０９】
図４（ｆ）の波形は画像データＶｌｐｆａと輝度抑制係数ｋａとを乗算することにより得られる値を示す。また、図４（ｇ）の波形は画像データＶａと（１−ｋａ）とを乗算することにより得られる値を示す。
【０１１０】
図４（ｆ）に示すように、Ｖｌｐｆａ×ｋａは、期間Ｔ１で画像データＶｌｐｆａに比例し、期間Ｔ１を除く期間で０となる。また、図４（ｇ）に示すように、Ｖａ×（１−ｋａ）は、期間Ｔ１で画像データＶａと輝度抑制係数ｋａとの差に等しくなり、期間Ｔ１を除く期間で画像データＶａと等しくなる。
【０１１１】
図４（ｈ）の波形は合成回路４ａにより合成された画像データＶＥＲを示す。図４（ｈ）に示すように、画像データＶＥＲは、期間Ｔ１で図４（ｆ）の波形と図４（ｇ）の波形との和に等しくなり、期間Ｔ１を除く期間で画像データＶａと等しくなる。このように、期間Ｔ１において、画像データＶＥＲはハイレベルから緩やかに立ち下がる。
【０１１２】
本実施の形態では、上述の図４（ａ），（ｂ）のように次フレームの画像データＶＤＲの輝度レベルが現フレームの画像データＶａより低下する場合において、図４（ｈ）に示すように低下部分に対応する画像データＶＥＲの部分の輝度レベルが抑制される。以下、詳細について説明する。
【０１１３】
図６は、輝度レベル抑制部５ａを用いずに画面上に画像を表示した場合および輝度レベル抑制部５ａを用いて画面上に画像を表示した場合における残光特性を示す説明図である。
【０１１４】
図６の上段が輝度レベル抑制部５ａを用いない場合の説明図であり、下段が輝度レベル抑制部５ａ用いた場合の説明図である。なお、図６の横軸はＰＤＰ６００上の位置（画面上の位置）を示し、縦軸は輝度レベルを示す。
【０１１５】
図６の上段に示すように、輝度レベル抑制部５ａを用いない場合、すなわち画像データＶａにより画像を表示した場合において、高い輝度レベルを有する画像部分が矢印Ｕの方向（紙面において左方向）に移動するときの見かけ上の残光領域をＲ１とする。
【０１１６】
この場合、位置Ｐ１における残光開始輝度レベルＬａは、画像データＶＤＲの最大輝度レベルと等しくなる。残光による輝度レベルは残光開始輝度レベルＬａから曲線を描いて徐々に減少する。上記の残光領域Ｒ１は、この曲線の式を積分することにより得られる面積を有する。
【０１１７】
一方、図６の下段に示すように、輝度レベル抑制部５ａを用いた場合、すなわち画像データＶＥＲにより画像を表示した場合において、高い輝度レベルを有する画像部分が矢印Ｕの方向（紙面において左方向）に移動するときの見かけ上の残光領域をＲ２とする。
【０１１８】
この場合、次フレームの画像データＶＤＲの輝度レベルが現フレームの画像データＶａの輝度レベルよりも低下する場合において、低下部分に対応する画像データＶＥＲの部分の輝度レベルが抑制されている（図４）。そのため、位置Ｐ１における残光開始輝度レベルＬｂは、上記の最大輝度レベルよりも低くなる。残光による輝度レベルは残光開始輝度レベルＬｂから曲線を描いて徐々に減少する。上記の残光領域Ｒ２は、この曲線の式を積分することにより得られる面積を有する。
【０１１９】
なお、画像データＶＥＲにおける輝度レベルの抑制部分に残光領域Ｒ３が生じる。この残光領域Ｒ３は、本来の画像部分の一部として認識され、見かけ上の残光領域として認識されない。
【０１２０】
このように、残光領域Ｒ１＞残光領域Ｒ２の関係が成り立ち、画像データＶＥＲを用いた場合には、見かけ上の残光領域を低減できる。
【０１２１】
（１−４）第１の実施の形態における効果
第１の実施の形態では、次フレームの画像データＶＤＲの輝度レベルが現フレームの画像データＶａの輝度レベルよりも低下する場合において、低下部分に対応する画像データＶＥＲの部分の輝度レベルが抑制される。それにより、見かけ上の残光開始輝度レベルが低減される。その結果、高輝度から低輝度に変化する画像部分に生じる残光領域が低減され、蛍光体の残光特性に起因する画質劣化が十分に抑制される。
【０１２２】
（２）第２の実施の形態
（２−１）輝度レベル補正部の構成およびその動作
本発明の第２の実施の形態に係るプラズマディスプレイ装置の構成が第１の実施の形態に係るプラズマディスプレイ装置と異なるのは、輝度レベル補正部３５０の代わりに輝度レベル補正部３５０ａが設けられる点である。
【０１２３】
次いで、第２の実施の形態における輝度レベル補正部３５０ａの構成について図面を参照しながら説明する。
【０１２４】
図７は、本発明の第２の実施の形態における輝度レベル補正部３５０ａの構成を示すブロック図である。この輝度レベル補正部３５０ａは、応答特性補正部７ａ，７ｂ，７ｃにより構成される。輝度レベル補正部３５０ａにより後述の画像データＶＥ１がサブフィールド変換部４００（図１）に与えられる。
【０１２５】
図７に示すように、本実施の形態における応答特性補正部７ａが第１の実施の形態における輝度レベル抑制部５ａと異なるのは、輝度抑制係数算出部２ａの代わりに応答係数算出部６ａが設られる点である。
【０１２６】
同様に、応答特性補正部７ｂが第１の実施の形態における輝度レベル抑制部５ｂと異なるのは、輝度抑制係数算出部２ｂの代わりに応答係数算出部６ｂが設けられる点である。
【０１２７】
また、応答特性補正部７ｃが第１の実施の形態における輝度レベル抑制部５ｃと異なるのは、輝度抑制係数算出部２ｃの代わりに応答係数算出部６ｃが設けられる点である。
【０１２８】
本実施の形態では、応答係数算出部６ａ，６ｂ，６ｃは、例えばＣＰＵ等のハードウエアおよびプログラム等のソフトウエアにより実現される。
【０１２９】
なお、図７の１フレーム遅延回路１ａ，１ｂ，１ｃの動作、ＬＰＦ３ａ，３ｂ，３ｃの動作、および合成回路４ａ，４ｂ，４ｃの動作は、第１の実施の形態で説明した動作と同様である。
【０１３０】
応答特性補正部７ａの応答係数算出部６ａは、画像データＶＤＲ（次フレームの画像データ）と画像データＶａ（現フレームの画像データ）との輝度レベルに基づいて応答係数ｋａ１を抽出または算出し、その応答係数ｋａ１を合成回路４ａに与える。合成回路４ａは、与えられた応答係数ｋａ１に基づいて画像データＶａおよび画像データＶｌｐｆａを合成し、合成により得られた画像データＶＥＲ１をサブフィールド変換部４００（図１）に与える。
【０１３１】
同様に、応答特性補正部７ｂの応答係数算出部６ｂは、画像データＶＤＧ（次フレームの画像データ）と画像データＶｂ（現フレームの画像データ）との輝度レベルに基づいて応答係数ｋｂ１を抽出または算出し、その応答係数ｋｂ１を合成回路４ｂに与える。合成回路４ｂは、与えられた応答係数ｋｂ１に基づいて画像データＶｂおよび画像データＶｌｐｆｂを合成し、合成により得られた画像データＶＥＧ１をサブフィールド変換部４００（図１）に与える。
【０１３２】
また、応答特性補正部７ｃの応答係数算出部６ｃは、画像データＶＤＧ（次フレームの画像データ）と画像データＶｃ（現フレームの画像データ）との輝度レベルに基づいて応答係数ｋｃ１を抽出または算出し、その応答係数ｋｃ１を合成回路４ｃに与える。合成回路４ｃは、与えられた応答係数ｋｃ１に基づいて画像データＶｃおよび画像データＶｌｐｆｃを合成し、合成により得られた画像データＶＥＢ１をサブフィールド変換部４００（図１）に与える。
【０１３３】
なお、本実施の形態では、応答特性補正部７ａ，７ｂ，７ｃによりそれぞれ出力される画像データＶＥＲ１，ＶＥＧ１，ＶＥＢ１が画像データＶＥ１（図７）に含まれる。
【０１３４】
以下、応答係数算出部６ａ，６ｂ，６ｃの具体的な動作について、応答係数算出部６ａを例として図面を参照しながら説明する。なお、応答係数算出部６ｂ，６ｃの具体的な動作は、応答係数算出部６ａの動作と同じである。以下、応答係数ｋａ１が格納されたテーブルについて説明する。
【０１３５】
図８は、応答係数ｋａ１を格納するテーブルを示す説明図である。
【０１３６】
図８のテーブルの応答係数ｋａ１は、赤色原色信号である画像データＶＤＲについて用いられるものであり、記憶部２０ａ（図７）に記憶されている。図８のテーブルの各行は現フレームの画像データＶａの輝度レベルに対応する応答係数ｋａ１の値を表し、各列は次フレームの画像データＶＤＲの輝度レベルに対応する応答係数ｋａ１の値を表す。
【０１３７】
図８に示すように、応答係数ｋａ１は、現フレームの画像データＶａおよび次フレームの画像データＶＤＲの各輝度レベル（％）に対応して設定されている。なお、白色の輝度レベルを１００％とし、黒色の輝度レベルを０％とする。
【０１３８】
現フレームから次フレームへの移行時に輝度レベルが低下する場合に、その輝度レベルの差分が大きいほど、応答係数ｋａ１は高い値となるように設定されている。また、現フレームから次フレームへの移行時に輝度レベルが大きく（２０％分を超えて）上昇する場合においても、その輝度レベルの差分が大きいほど、応答係数ｋａ１は高い値となるように設定されている。現フレームから次フレームへの移行時に輝度レベルが変化しない場合および輝度レベルの差分が２０％以下しか上昇しない場合には、応答係数ｋａ１は０となるように設定されている。
【０１３９】
応答係数算出部６ａは、図８のテーブルから現フレームの画像データＶａの輝度レベルおよび次フレームの画像データＶＤＲの輝度レベルに対応する応答係数ｋａ１を抽出する。例えば、現フレームの画像データＶａの輝度レベルが６０％であり、次フレームの画像データＶＤＲの輝度レベルが２０％である場合には、応答係数算出部６ａは応答係数ｋａ１として０．４を抽出する。
【０１４０】
図８のテーブルに現フレームの画像データＶａの輝度レベルまたは次フレームの画像データＶＤＲの輝度レベルに対応する輝度レベルが存在しない場合には、応答係数算出部６ａは、テーブルに存在する複数の応答係数ｋａ１の値を用いた補間演算により現フレームの画像データＶａの輝度レベルおよび次フレームの画像データＶＤＲの輝度レベルに対応する応答係数ｋａ１を算出する。
【０１４１】
図８のテーブルは、残光特性（残光時間の長さ）および輝度の立ち上がり特性に応じて画像データＶＤＲ，ＶＤＧ，ＶＤＢごとに設定される。各テーブルにおいて、現フレームの画像データＶａ，Ｖｂ，Ｖｃの輝度レベルが次フレームの画像データＶＥＲ，ＶＥＧ，ＶＥＢの輝度レベルよりも低下する場合には、応答係数ｋａ１，ｋｂ１，ｋｃ１は対応する色の残光特性（残光時間の長さ）に応じて設定される。この場合の応答係数ｋａ１，ｋｂ１，ｋｃ１は第１の実施の形態の輝度抑制係数ｋａ，ｋｂ，ｋｃに相当する。また、各テーブルにおいて、現フレームの画像データＶａ，Ｖｂ，Ｖｃの輝度レベルが次フレームの画像データＶＥＲ，ＶＥＧ，ＶＥＢの輝度レベルよりも上昇する場合には、応答係数ｋａ１，ｋｂ１，ｋｃ１は対応する色の輝度の立ち上がり特性に応じて設定される。
【０１４２】
図９は、応答特性補正部７ａに含まれる構成部の出力を示す波形図である。図９（ａ）〜（ｈ）の横軸は時間を表し、縦軸は各データまたは各係数の値を表す。期間Ｔ１における図９（ａ）〜（ｈ）の波形は図４（ａ）〜（ｈ）の波形と同様である。
【０１４３】
図９（ａ），（ｂ）の波形は上述の図４（ａ），（ｂ）とそれぞれ同じ現フレームの画像データＶａおよび次フレームの画像データＶＤＲを示す。
【０１４４】
ここで、上述したように、応答係数算出部６ａは、画像データＶＤＲの輝度レベルと画像データＶａの輝度レベルとに基づいて応答係数ｋａ１を抽出または算出する。
【０１４５】
図９（ｃ）の波形は図９（ａ），（ｂ）の現フレームの画像データＶａおよび次フレームの画像データＶＤＲに基づいて応答係数算出部６ａにより抽出または算出された応答係数ｋａ１を示す。
【０１４６】
図９（ａ），（ｂ）に示すように、期間Ｔ２において、次フレームの画像データＶＤＲの輝度レベルが現フレームの画像データＶａの輝度レベルよりも上昇する。
【０１４７】
ここで、図８で上述したように、次フレームの画像データＶＤＲの輝度レベルが現フレームの画像データＶａの輝度レベルよりも所定値以上高い場合には、応答係数ｋａ１が正となる。したがって、図９（ｃ）において、期間Ｔ２では応答係数ｋａ１は正の値を有する。
【０１４８】
ただし、次フレームの画像データＶＤＲの輝度レベルが現フレームの画像データＶａの輝度レベルよりも高い場合における応答係数ｋａ１は、次フレームの画像データＶＤＲの輝度レベルが現フレームの画像データＶａの輝度レベルよりも低い場合における応答係数ｋａ１よりも小さく設定されているので、期間Ｔ２における応答係数ｋａ１は、期間Ｔ１における応答係数ｋａ１よりも小さくなっている。期間Ｔ１および期間Ｔ２以外の期間には、輝度抑制係数ｋａは０となる。
【０１４９】
図９（ｄ）の波形は１から輝度抑制係数ｋａを減算することにより得られる値を示す。値（１−ｋａ）は期間Ｔ１および期間Ｔ２では負となり、期間Ｔ１および期間Ｔ２以外の期間では１となる。
【０１５０】
図９（ｅ）の波形はＬＰＦ３ａにより出力される画像データＶｌｐｆａを示する。画像データＶｌｐｆａの波形の立ち上がりおよび立ち下がりは、図４（ｅ）の波形と同様にそれぞれ緩やかになる。それにより、期間Ｔ１において画像データＶｌｐｆａはハイレベルの部分および当該ハイレベルから緩やかに立ち下がる部分を含み、期間Ｔ２において画像データＶｌｐｆａはローレベルの部分および当該ローレベルから緩やかに立ち上がる部分を含む。
【０１５１】
続いて、合成回路４ａによる画像データＶａおよび画像データＶｌｐｆａの合成方法について説明する。
【０１５２】
合成回路４ａは、与えられた応答係数ｋａ１を用いて、画像データＶａおよび画像データＶｌｐｆａを下記の算出式に基づいて合成し、成により得られた画像データＶＥＲ１をサブフィールド変換部４００（図１）に与える。
【０１５３】
ＶＥＲ１＝Ｖｌｐｆａ×ｋａ１＋Ｖａ×（１−ｋａ１）      ・・・（２）
上式（２）において、ＶＥＲ１は画像データＶＥＲ１の値であり、Ｖｌｐｆａは画像データＶｌｐｆａの値であり、ｋａ１は応答係数ｋａ１の値である。
【０１５４】
図９（ｆ）の波形は画像データＶｌｐｆａと応答係数ｋａ１とを乗算することにより得られる値を示す。また、図９（ｇ）の波形は画像データＶａと（１−ｋａ１）とを乗算することにより得られる値を示す。
【０１５５】
図９（ｆ）に示すように、Ｖｌｐｆａ×ｋａ１は、期間Ｔ１および期間Ｔ２で画像データＶｌｐｆａに比例し、期間Ｔ１および期間Ｔ２を除く期間で０となる。また、図９（ｇ）に示すように、Ｖａ×（１−ｋａ１）は、期間Ｔ１および期間Ｔ２で画像データＶａと応答係数ｋａ１との差に等しくなり、期間Ｔ１および期間Ｔ２を除く期間で画像データＶａと等しくなる。
【０１５６】
図９（ｈ）の波形は合成回路４ａにより合成された画像データＶＥＲ１を示す。図９（ｈ）に示すように、画像データＶＥＲ１は、期間Ｔ１および期間Ｔ２で図９（ｆ）の波形と図９（ｇ）の波形との和に等しくなり、期間Ｔ１および期間Ｔ２を除く期間で画像データＶａと等しくなる。このように、期間Ｔ２において、画像データＶＥＲ１はローレベルから緩やかに立ち上がる。
【０１５７】
本実施の形態では、上述の図９（ａ），（ｂ）のように次フレームの画像データＶＤＲの輝度レベルが現フレームの画像データＶａより低下する場合において、図９（ｈ）に示すように、低下部分に対応する画像データＶＥＲ１の部分の輝度レベルが抑制される。また、図９（ａ），（ｂ）のように次フレームの画像データＶＤＲの輝度レベルが現フレームの画像データＶａより上昇する場合において、図９（ｈ）に示すように、画像データＶＥＲ１において輝度レベルの立ち上がり部分が補正される。以下、詳細について説明する。
【０１５８】
図１０は、応答特性補正部７ａを用いずに画面上に画像を表示した場合および応答特性補正部７ａを用いて画面上に画像を表示した場合における立ち上がり特性を示す説明図である。
【０１５９】
図１０の上段が応答特性補正部７ａを用いない場合の説明図であり、下段が応答特性補正部７ａを用いた場合の説明図である。なお、図１０の横軸は時間を示し、縦軸は輝度レベルを示す。
【０１６０】
図１０の上段に示すように、応答特性補正部７ａを用いない場合、すなわち画像データＶａにより画像を表示した場合には、低輝度レベルＬａ１からの立ち上がり開始時点ｔ１から遅延時間ｔｍａの経過後、輝度レベルが高輝度レベルＬａ２に達する。
【０１６１】
一方、図１０の下段に示すように、応答特性補正部７ａを用いた場合、すなわち画像データＶＥＲ１により画像を表示した場合には、上記の立ち上がり開始時点ｔ１において輝度レベルが所定の輝度レベルＬｃ１（Ｌａ１＜Ｌｃ１＜Ｌａ２）に達しているので、立ち上がり開始時点ｔ１から遅延時間ｔｍｂ（＜遅延時間ｔｍａ）の経過後、輝度レベルが高輝度レベルＬａ２に達する。
【０１６２】
（２−２）第２の実施の形態における効果
第２の実施の形態では、第１の実施の形態と同様に、次フレームの画像データＶＤＲの輝度レベルが現フレームの画像データＶａの輝度レベルよりも低下する場合において、低下部分に対応する画像データＶＥＲ１の部分の輝度レベルが抑制される。それにより、見かけ上の残光開始輝度レベルが低減される。その結果、高輝度から低輝度に変化する画像部分に生じる残光領域が低減され、蛍光体の残光特性に起因する画質劣化が十分に抑制される。
【０１６３】
また、次フレームの画像データＶＤＲの輝度レベルが現フレームの画像データＶａの輝度レベルより上昇する場合において、画像データＶＥＲ１において輝度レベルの立ち上がりの遅延時間が短縮される。それにより、輝度レベルの立ち上がり遅れが改善される。その結果、低輝度から高輝度に変化する画像部分に生じる色付きが低減され、蛍光体の発光の立ち上がり特性に起因する画質劣化が十分に抑制される。
【０１６４】
（３）第３の実施の形態
本発明の第３の実施の形態に係るプラズマディスプレイ装置では、図５または図８のテーブルを用いずに回路により第１および第２の実施の形態と同様の係数を用いた演算が行われる。
【０１６５】
本実施の形態では、図３の輝度レベル補正部３５０の輝度レベル抑制部５ａまたは図７の輝度レベル補正部３５０ａの応答特性補正部７ａの代わりに図１１の応答特性補正部７Ａが設けられる。図１１は、本発明の第３の実施の形態における応答特性補正部７Ａの構成を示す回路図である。
【０１６６】
なお、本実施の形態では、図３の輝度レベル補正部３５０の輝度レベル抑制部５ｂ，５ｃまたは図７の輝度レベル補正部３５０ａの応答特性補正部７ｂ，７ｃの代わりに図１１の応答特性補正部７Ａと同様の構成を有する応答特性補正部が設けられる。
【０１６７】
図１１に示すように、応答特性補正部７Ａは、１フレーム遅延回路１ａ、係数算出部２ａ１、ＬＰＦ３ａおよび合成回路４ａを含む。
【０１６８】
係数算出部２ａ１は、減算器２１、係数乗算器２２，２３およびセレクタ２４を含む。また、合成回路４ａは、乗算器４１，４３、加算器４２および減算器４４を含む。
【０１６９】
走査数変換部３００（図１）は、１フレーム遅延回路１ａおよび係数算出部２ａ１の減算器２１に次フレームの画像データＶＤＲを与える。
【０１７０】
１フレーム遅延回路１ａは、走査数変換部３００から与えられた画像データＶＤＲを１フレーム遅延させ、遅延された現フレームの画像データＶａを、ＬＰＦ３ａ、乗算器４３および減算器２１に与える。
【０１７１】
ＬＰＦ３ａは、与えられた画像データＶａの低周波成分のみを通過させることにより画像データＶａを帯域制限し、帯域制限された画像データＶｌｐｆａを乗算器４１に与える。
【０１７２】
減算器２１は、次フレームの画像データＶＤＲから現フレームの画像データＶａを減算し、その減算結果を係数乗算器２２，２３およびセレクタ２４にそれぞれ与える。
【０１７３】
係数乗算器２２は、与えられた上記減算結果に所定の係数ｋ１を乗算し、乗算結果を第１の係数出力としてセレクタ２４に与える。係数乗算器２３は、与えられた上記減算結果に所定の係数ｋ２を乗算し、乗算結果を第２の係数出力としてセレクタ２４に与える。
【０１７４】
係数ｋ１は高輝度から低輝度に変化する画像部分に生じる残光領域の低減のために用いられる。また、係数ｋ２は蛍光体の発光の立ち上がり特性に起因する輝度レベルの立ち上がり遅れの改善のために用いられる。
【０１７５】
セレクタ２４は、減算器２１から与えられた上記減算結果に基づいて、係数乗算器２２からの第１の係数出力および係数乗算器２３からの第２の係数出力の一方を選択する。具体的には、セレクタ２４は、上記減算結果が負の値を有する場合（次フレームの画像データＶＤＲの輝度レベルが現フレームの画像データＶａの輝度レベルよりも低い場合）、第１の係数出力を選択する。一方、セレクタ２４は、上記減算結果が正の値を有する場合（次フレームの画像データＶＤＲの輝度レベルが現フレームの画像データＶａの輝度レベルよりも高い場合）、第２の係数出力を選択する。
【０１７６】
そして、セレクタ２４は、選択した第１または第２の係数出力を減算器４４および乗算器４１にそれぞれ与える。
【０１７７】
減算器４４は、値“１”から第１または第２の係数出力を減算し、その減算結果を乗算器４３に与える。乗算器４３は、１フレーム遅延回路１ａから与えられた画像データＶａと上記減算結果とを乗算し、その乗算結果（Ｖａ×（１−ｋ１）またはＶａ×（１−ｋ２））を加算器４２に与える。
【０１７８】
乗算器４１は、ＬＰＦ３ａから与えられた画像データＶｌｐｆａとセレクタ２４から与えられた第１または第２の係数出力とを乗算し、その乗算結果（Ｖｌｐｆａ×ｋ１またはＶｌｐｆａ×ｋ２）を加算器４２に与える。
【０１７９】
そして、加算器４２は、与えられた一方の乗算結果（Ｖａ×（１−ｋ１）またはＶａ×（１−ｋ２））と他方の乗算結果（Ｖｌｐｆａ×ｋ１またはＶｌｐｆａ×ｋ２）とを加算し、その加算結果を画像データＶＥＲまたは画像データＶＥＲ１としてサブフィールド変換部４００（図１）に与える。
【０１８０】
このようにして、係数算出部２ａ１および合成回路４ａにより第２の実施の形態における算出式（２）の演算が行われる。したがって、第２の実施の形態と同様に、高輝度から低輝度に変化する画像部分に生じる残光領域が低減されるとともに、低輝度から高輝度に変化する画像部分に生じる色付きが低減される。
【０１８１】
なお、第１の実施の形態のように、蛍光体の発光の立ち上がり特性に起因する輝度レベルの立ち上がり遅れの改善を必要としない場合には、係数ｋ２は０に設定される。この場合、係数算出部２ａ１および合成回路４ａにより第１の実施の形態における算出式（１）の演算が行われる。したがって、第１の実施の形態と同様に、高輝度から低輝度に変化する画像部分に生じる残光領域が低減される。
【０１８２】
また、係数ｋ２が正の値に設定され、係数ｋ１が０に設定されてもよい。この場合、低輝度から高輝度に変化する画像部分に生じる色付きが低減される。
【０１８３】
（４）第４の実施の形態
（４−１）輝度レベル補正部の構成およびその動作
本発明の第４の実施の形態に係るプラズマディスプレイ装置の構成が第２の実施の形態に係るプラズマディスプレイ装置と異なるのは、輝度レベル補正部３５０の代わりに輝度レベル補正部３５０ｂが設けられる点である。
【０１８４】
次いで、第４の実施の形態における輝度レベル補正部３５０ｂの構成について図面を参照しながら説明する。
【０１８５】
図１２は、本発明の第４の実施の形態における輝度レベル補正部３５０ｂの構成を示すブロック図である。
【０１８６】
図１２に示すように、輝度レベル補正部３５０ｂが第２の実施の形態における輝度レベル補正部３５０ａと異なるのは、画像移動量算出部８ａをさらに備える点である。なお、図１２には、画像データＶＤＲに対応する応答特性補正部７ａのみが図示され、画像データＶＤＧおよび画像データＶＤＢに対応する応答特性補正部７ｂ，７ｃの図示は省略されている。以下では、画像移動量算出部８ａおよび画像データＶＤＲに対応する応答特性補正部７ａの動作を説明する。
【０１８７】
画像移動量算出部８ａは、走査数変換部３００（図１）により与えられた画像データＶＤＲおよび１フレーム遅延回路１ａにより与えられた画像データＶａから画像部分の移動量（後述）を算出し、算出した移動量を応答係数算出部６ａに与える。
【０１８８】
図１３は、画像移動量算出部８ａにより算出される移動量を示す説明図である。
【０１８９】
図１３（ａ），（ｂ）の波形は、上述の図４（ａ），（ｂ）とそれぞれ同じ現フレームの画像データＶａおよび次フレームの画像データＶＤＲを示す。ただし、異なる２つの移動量を表すために、図１３（ａ），（ｂ）にはそれぞれ２種類の画像データＶａおよび画像データＶＤＲが左右に示されている。
【０１９０】
図１３（ｂ）に示すように、画像部分の移動量は、画像データＶａおよび画像データＶＤＲのエッジの時間差に相当する。なお、図１３（ｂ）の右側に示す移動量Ｂは、左側に示す移動量Ａよりも大きい。
【０１９１】
本実施の形態では、応答係数算出部６ａは、画像移動量算出部８ａから与えられる移動量と、第１または第２の実施の形態と同じように、現フレームの画像データＶａから次フレームの画像データＶＤＲへの輝度レベルの変化とに基づいて、次の応答係数ｋａ’（図１２）を算出する。
【０１９２】
すなわち、応答係数算出部６ａは、画像移動量算出部８ａから与えられた移動量と、第１の実施の形態と同じ輝度抑制係数ｋａまたは第２の実施の形態と同じ応答係数ｋａ１とを用いて、下記の算出式により応答係数ｋａ’を算出し、これを合成回路４ａに与える。なお、下記の算出式では、輝度抑制係数ｋａを用いた場合を示している。
【０１９３】
ｋａ’＝ｋａ＋ｍ×ｐ      ・・・（３）
上式（３）において、ｐは上述の移動量（上記ではｐ＝ＡまたはＢ）であり、ｍは固定係数である。固定係数ｍは、応答係数ｋａ’が０以上１以下となるよう正規化するための係数である。
【０１９４】
合成回路４ａにおいて、応答係数算出部６ａにより算出された上記の応答係数ｋａ’、画像データＶａおよび画像データＶｌｐｆａを合成する処理については、第１または第２の実施の形態と同様であるので説明を省略する。
【０１９５】
図１３（ｃ）の波形は合成回路４ａにより合成された画像データＶＥＲ２を示す。図１３（ｃ）に示すように、移動量ｐが大きいほど画像データＶＥＲ２のエッジの傾斜が急峻となる。
【０１９６】
図１３（ｄ），（ｅ）はそれぞれ応答特性補正部７ａを用いずに画面上に画像を表示した場合および応答特性補正部７ａを用いて画面上に画像を表示した場合における残光特性を示す説明図である。
【０１９７】
なお、図１３（ｄ），（ｅ）の縦軸および横軸は図６の縦軸および横軸と同じであるので図示は省略し、各符号の意味についても図６のものと同じであるので説明を省略する。
【０１９８】
図１３（ｄ）に示すように、応答特性補正部７ａを用いない場合、すなわち画像データＶａにより画像を表示した場合には、高い輝度レベルを有する画像部分が矢印Ｕの方向（紙面において左方向）に移動するときの見かけ上の残光領域Ｒ１がそれぞれ存在する。ここで、右側の残光領域Ｒ１は左側の残光領域Ｒ１よりも大きくなっている。このように、移動量ｐが大きくなるほど輝度レベルの変化の範囲が増加し、残光領域が大きくなる。
【０１９９】
図１３（ｅ）に示すように、応答特性補正部７ａを用いた場合、すなわち画像データＶＥＲ２により画像を表示した場合には、それぞれの残光領域Ｒ１よりも小さい残光領域Ｒ２がそれぞれ残る。この場合、移動量ｐが大きいほど画像データＶＥＲ２のエッジの傾斜が急峻となる。それにより、移動量ｐが大きくなるほど残光領域の抑制量（補正量）が増加される。このようにして、移動量ｐにかかわらず残光領域が同等に低減される。
【０２００】
（４−２）第４の実施の形態における効果
第４の実施の形態では、画像部分の移動量に応じて変化する応答係数ｋａ’が用いられるので、画像部分の移動量に応じて高輝度から低輝度に変化する画像部分に生じる残光領域が低減される。また、同様にして、画像部分の移動量に応じて低輝度から高輝度に変化する画像部分に生じる色付きを低減することも可能である。その結果、蛍光体の残光特性および蛍光体の発光の立ち上がり特性に起因する画質劣化が十分に抑制される。
【０２０１】
（５）第５の実施の形態
（５−１）輝度レベル補正部の構成およびその動作
本発明の第５の実施の形態に係るプラズマディスプレイ装置の構成が第２の実施の形態に係るプラズマディスプレイ装置と異なるのは、輝度レベル補正部３５０の代わりに輝度レベル補正部３５０ｃが設けられる点である。
【０２０２】
次いで、第５の実施の形態における輝度レベル補正部３５０ｃの構成について図面を参照しながら説明する。
【０２０３】
図１４は、本発明の第５の実施の形態における輝度レベル補正部３５０ｃの構成を示すブロック図である。
【０２０４】
図１４に示すように、輝度レベル補正部３５０ｃが第２の実施の形態における輝度レベル補正部３５０ａと異なるのは、平均輝度算出部９ａをさらに備える点である。なお、図１４には、画像データＶＤＲに対応する応答特性補正部７ａのみが図示され、画像データＶＤＧおよび画像データＶＤＢに対応する応答特性補正部７ｂ，７ｃの図示は省略されている。以下では、平均輝度算出部９ａおよび画像データＶＤＲに対応する応答特性補正部７ａの動作を説明する。
【０２０５】
平均輝度算出部９ａは、１フレーム遅延回路１ａにより与えられた画像データＶａから平均輝度レベル（後述）を算出し、算出した平均輝度レベルを応答係数算出部６ａに与える。
【０２０６】
ここで、ＰＤＰまたはＣＲＴ（陰極線管）等の表示装置における一般的な表示特性について図面を参照しながら説明する。
【０２０７】
図１５は、ＰＤＰ６００の一般的な表示特性を示す説明図である。図１５の縦軸はＰＤＰ６００の画面上のあるＡ点の輝度レベルを示し、横軸はＰＤＰ６００の画面全体の平均輝度レベルを示す。ここで、Ａ点は平均輝度レベルよりも高い輝度レベル（ピーク輝度レベル）を有する点である。
【０２０８】
図１５に示すように、平均輝度レベルがある値に達するまではＡ点の輝度レベルは一定であるが、平均輝度レベルがある値を超えるとＡ点の輝度レベルが徐々に低下する。これは、自動輝度制限（ＡＢＬ：Auto Brightness Limiter）によるものである。人間の視覚特性上、光量が多くなると瞳孔が狭まるため、平均輝度レベルが高い場合には、あるＡ点の輝度レベルを低下させることによりコントラストを低下させる。それにより、消費電力が低減される。すなわち、画像データの輝度レベルが同一であっても、画面全体の平均輝度レベルが低い場合には、画面全体の平均輝度レベルが高い場合に比べて画面上のあるＡ点の輝度は高くなる。
【０２０９】
一方、蛍光体の残光時間および発光の立ち上がりの遅延時間は、蛍光体の発光輝度に依存するため、画像データの輝度レベルが同一であっても、画面全体の平均輝度レベルが低い場合には、画面全体の平均輝度レベルが高い場合に比べて、画面上のＡ点の実際の輝度レベルは高くなる。それにより、蛍光体の残光開始輝度および発光の立ち上がりの遅延時間が長くなる。
【０２１０】
図１６は平均輝度算出部９ａにより算出される平均輝度レベルを用いた残光領域の低減を説明するための説明図である。なお、図１６（ａ）〜（ｅ）の左側の波形は平均輝度レベルが高い場合の例を示し、右側の波形は平均輝度レベルが低い場合の例を示す。
【０２１１】
図１６（ａ），（ｂ）の波形は、上述の図４（ａ），（ｂ）とそれぞれ同じ現フレームの画像データＶａおよび次フレームの画像データＶＤＲを示す。
【０２１２】
本実施の形態では、応答係数算出部６ａは、平均輝度算出部９ａから与えられる平均輝度レベルと、第１または第２の実施の形態と同じように、現フレームの画像データＶａから次フレームの画像データＶＤＲへの輝度レベルの変化とに基づいて、次の応答係数ｋａ’１（図１４）を算出する。
【０２１３】
すなわち、応答係数算出部６ａは、平均輝度算出部９ａから与えられた平均輝度レベルと、第１の実施の形態と同じ輝度抑制係数ｋａまたは第２の実施の形態と同じ応答係数ｋａ１とを用いて、下記の算出式により応答係数ｋａ’１を算出し、これを合成回路４ａに与える。なお、下記の算出式では、輝度抑制係数ｋａを用いた場合を示している。
【０２１４】
ｋａ’１＝ｑ×ｋａ／Ｖａｐｌ      ・・・（４）
上式（４）において、Ｖａｐｌは上述の平均輝度レベルであり、ｑは固定係数である。固定係数ｑは、応答係数ｋａ’１が０以上１以下となるよう正規化するための係数である。
【０２１５】
合成回路４ａにおいて、応答係数算出部６ａにより算出された上記の応答係数ｋａ’１、画像データＶａおよび画像データＶｌｐｆａを合成する処理については、第１または第２の実施の形態と同様であるので説明を省略する。
【０２１６】
図１６（ｃ）の波形は合成回路４ａにより合成された画像データＶＥＲ３を示す。図１６（ｃ）に示すように、平均輝度レベルＶａｐｌが低いほど画像データＶＥＲ３のエッジの傾斜が急峻となる。
【０２１７】
図１６（ｄ），（ｅ）はそれぞれ応答特性補正部７ａを用いずに画面上に画像を表示した場合および応答特性補正部７ａを用いて画面上に画像を表示した場合における残光特性を示す説明図である。
【０２１８】
なお、図１６（ｄ），（ｅ）の縦軸および横軸は図６の縦軸および横軸と同じであるので図示は省略し、各符号の意味についても図６のものと同じであるので説明を省略する。
【０２１９】
図１６（ｄ）に示すように、応答特性補正部７ａを用いない場合、すなわち画像データＶａにより画像を表示した場合には、高い輝度レベルを有する画像部分が矢印Ｕの方向（紙面において左方向）に移動するときの見かけ上の残光領域Ｒ１がそれぞれ存在する。上述したＡＢＬの機能（図１５）によって、平均輝度レベルＶａｐｌが低い場合の右側の残光開始輝度レベルＬｃは、平均輝度レベルＶａｐｌが高い場合の左側の残光開始輝度レベルＬａに比べて高くなる。それにより、右側の残光領域Ｒ１は左側の残光領域Ｒ１よりも大きくなっている。このように、平均輝度レベルＶａｐｌが低くなるほど残光開始輝度レベルが高くなり、残光領域が大きくなる。
【０２２０】
図１６（ｅ）に示すように、応答特性補正部７ａを用いた場合、すなわち画像データＶＥＲ３により画像を表示した場合には、それぞれの残光領域Ｒ１よりも小さい残光領域Ｒ２がそれぞれ残る。この場合、平均輝度レベルＶａｐｌが低いほど画像データＶＥＲ３のエッジの傾斜が急峻となる。それにより、平均輝度レベルＶａｐｌが低いほど残光領域の抑制量（補正量）が増加される。したがって、平均輝度レベルＶａｐｌが低い場合の右側の残光開始輝度レベルＬｄは、平均輝度レベルＶａｐｌが高い場合の左側の残光開始輝度レベルＬｂとほぼ等しくなる。このようにして、平均輝度レベルＶａｐｌにかかわらず残光領域が同等に低減される。
【０２２１】
（５−２）第５の実施の形態における効果
第５の実施の形態では、平均輝度レベルＶａｐｌに応じて変化する応答係数ｋａ’１が用いられるので、平均輝度レベルＶａｐｌに応じて高輝度から低輝度に変化する画像部分に生じる残光領域が低減される。また、同様にして、平均輝度レベルＶａｐｌに応じて低輝度から高輝度に変化する画像部分に生じる色付きを低減することも可能である。その結果、ＰＤＰ６００における画質劣化が十分に抑制される。
【０２２２】
（６）他の実施の形態
上記実施の形態においては、サブフィールド法により階調表示を行う表示装置の一例としてプラズマディスプレイ装置を用いているが、これに限定されるものではなく、本発明は、デジタルミラーデバイス等の他の表示装置にも同様に適用することができる。
【０２２３】
また、図５のテーブルの輝度抑制係数ｋａおよび図８の応答係数ｋａ１は、輝度レベルが増加するにつれ、各々定倍的に大きくなるよう設定されているが、これに限定されるものではなく、各々指数関数的に大きくなるよう設定してもよい。
【０２２４】
（７）請求項の各構成要素と実施の形態の各要素との対応
以下、請求項の各構成要素と実施の形態の各要素との対応の例について説明するが、本発明は下記の例に限定されない。
【０２２５】
上記実施の形態においては、輝度レベル補正部３５０，３５０ａ，３５０ｂ，３５０ｃが画像信号処理装置の例であり、１フレーム遅延回路１ａ，１ｂ，１ｃが画像信号出力部の例であり、輝度レベル抑制部５ａ，５ｂ，５ｃおよび応答特性補正部７ａ，７ｂ，７ｃ，７Ａが画像信号補正部の例であり、画像移動量算出部８ａが移動量算出部の例であり、平均輝度算出部９ａが平均輝度レベル算出部の例であり、赤色の蛍光体、緑色の蛍光体および青色の蛍光体が複数色の蛍光体の例であり、プラズマディスプレイパネル６００が表示部の例である。
【０２２６】
なお、請求項の各構成要素として、請求項に記載されている構成または機能を有する他の種々の要素を用いることも可能である。
【産業上の利用可能性】
【０２２７】
本発明は、種々の映像を表示するため等に利用することができる。
【図面の簡単な説明】
【０２２８】
【図１】本発明の第１の実施の形態に係るプラズマディスプレイ装置の構成を示すブロック図
【図２】図１のプラズマディスプレイ装置に適用されるサブフィールド法を説明するための図
【図３】本発明の第１の実施の形態における輝度レベル補正部の構成を示すブロック図
【図４】輝度レベル抑制部に含まれる構成部の出力を示す波形図
【図５】輝度抑制係数を格納するテーブルを示す説明図
【図６】輝度レベル抑制部を用いずに画面上に画像を表示した場合および輝度レベル抑制部を用いて画面上に画像を表示した場合における残光特性を示す説明図
【図７】本発明の第２の実施の形態における輝度レベル補正部の構成を示すブロック図
【図８】応答係数を格納するテーブルを示す説明図
【図９】応答特性補正部に含まれる構成部の出力を示す波形図
【図１０】応答特性補正部を用いずに画面上に画像を表示した場合および応答特性補正部を用いて画面上に画像を表示した場合における立ち上がり特性を示す説明図
【図１１】本発明の第３の実施の形態における係数算出部および合成回路の詳細な構成を示すブロック図
【図１２】本発明の第４の実施の形態における輝度レベル補正部の構成を示すブロック図
【図１３】映像位置移動量算出部により算出される移動量を示す説明図
【図１４】本発明の第５の実施の形態における輝度レベル補正部の構成を示すブロック図
【図１５】ＰＤＰの一般的な表示特性を示す説明図
【図１６】平均輝度算出部により算出される平均輝度レベルを用いた残光領域の低減を説明するための説明図
【図１７】蛍光体の発光の立ち上がり特性を示す説明図
【図１８】表示品質の劣化を示す模式図
【符号の説明】
【０２２９】
１ａ，１ｂ，１ｃ  １フレーム遅延回路
２ａ，２ｂ，２ｃ  輝度抑制係数算出部
２ａ１  係数算出部
３ａ，３ｂ，３ｃ  ＬＰＦ
４ａ，４ｂ，４ｃ  合成回路
５ａ，５ｂ，５ｃ  輝度レベル抑制部
６ａ，６ｂ，６ｃ  応答係数算出部
７ａ，７ｂ，７ｃ，７Ａ  応答特性補正部
８ａ  画像移動量算出部
９ａ  平均輝度算出部
１１ａ  走査電極
１１ｂ  維持電極
１１ｃ  データ電極
２０ａ，２０ｂ，２０ｃ  記憶部
２００  Ａ／Ｄコンバータ
３００  走査数変換部
３５０，３５０ａ，３５０ｂ，３５０ｃ  輝度レベル補正部
４００  サブフィールド変換部
５００  放電制御タイミング発生回路
６００  プラズマディスプレイパネル
７００  データドライバ
８００  スキャンドライバ
９００  サステインドライバ
ＶＥ，ＶＥ１，ＶＥ２，ＶＥ３  画像データ
【図１】
2008152061.tif 000003
【図２】
2008152061.tif 000004
【図３】
2008152061.tif 000005
【図４】
2008152061.tif 000006
【図５】
2008152061.tif 000007
【図６】
2008152061.tif 000008
【図７】
2008152061.tif 000009
【図８】
2008152061.tif 000010
【図９】
2008152061.tif 000011
【図１０】
2008152061.tif 000012
【図１１】
2008152061.tif 000013
【図１２】
2008152061.tif 000014
【図１３】
2008152061.tif 000015
【図１４】
2008152061.tif 000016
【図１５】
2008152061.tif 000017
【図１６】
2008152061.tif 000018
【図１７】
2008152061.tif 000019
【図１８】
2008152061.tif 000020